(57)【要約】【課題】  本発明の課題は、空調機のメンテナンス性を向上させるとともに、使用者が間違って空調機の各機器類などに触れ故障することを防止し、さらには収納部の機能を十分に発揮することが可能なウォールキャビネットを提供することである。  【解決手段】  本発明では、内部に収納部と、空調機と、を備えるウォールキャビネットにおいて、前記ウォールキャビネットが上部底板と、下部底板からなる二重底板部を備え、前記空調機が上部底板の下部に備えられることを特徴とするウォールキャビネットを提供する。【選択図】  図２
2005110949.tif 000002
【特許請求の範囲】
【請求項１】
内部に収納部と、空調機と、を備えるウォールキャビネットにおいて、
前記ウォールキャビネットが上部底板と、下部底板からなる二重底板部を備え、前記空調機が上部底板の下部に備えられることを特徴とするウォールキャビネット。
【請求項２】
前記下部底板が前記空調機の上下分割面と略同一であることを特徴とする請求項１記載のウォールキャビネット。
【請求項３】
前記上部底板の下部に、空調機および／又は二重底板部を隠蔽する前板部を備えることを特徴とする請求項１または２記載のウオールキャビネット。
【請求項４】
前記下部底板および前記前板部が側板を設け、手前へ引き出し可能な第２収納部を形成することを特徴とする請求項３記載のウォールキャビネット。
【請求項５】
前記空調機が取り付けられる取り付け部が、前記上部底板の下部に取り付けられ、前記取り付け部が前方へ引き出し可能な引き出し機構部を備えることを特徴とする請求項１乃至４いずれかに記載のウォールキャビネット。
【請求項６】
前記空調機が前部下方に吹き出し口を備え、前記下部底板の下方部に被乾燥体を掛けることが可能なバーを備えたことを特徴とする請求項１乃至５いずれかに記載のウォールキャビネット。
【請求項７】
前記空調機が吹き出し口を備え、前記ウォールキャビネットの下部底板に、前記吹き出し口からの吹き出し流体の吸気スペースを確保するスペース確保部材を備えることを特徴とする請求項１乃至６いずれかに記載のウォールキャビネット。
【発明の詳細な説明】
【技術分野】
【０００１】
本発明は、収納部と,空調器とを備えたウォールキャビネットに関するものであり、特に空調機のメンテナンス性、使い勝手に好適なウォールキャビネットに関する発明である。 
【背景技術】
【０００２】
従来より空調機を備えたウォールキャビネットはあった。（例えば、特許文献１参照。）。 
このような場合、ウォールキャビネットの下部に位置する化粧鏡の曇りを生じさせないなどの利点があった。
しかしただ単にウォールキャビネットに空調機を設けただけであり設置に工夫がないため、空調機が故障した際などのメンテナンス性が非常に悪かった。また設置に工夫がないためキャビネット側にもなんらいい点を生じず、空調機を備えただけ収納部が小さくなったり各機器類に使用者が触れる恐れが出てきてひいては空調機の故障につながる恐れもあった。
【０００３】
【特許文献１】特開平１０−１１７９５４号公報
【発明の開示】
【発明が解決しようとする課題】
【０００４】
本発明は、上記問題を解決するためになされたもので、本発明の課題は、空調機のメンテナンス性を向上させるとともに、使用者が間違って空調機の各機器類などに触れ故障することを防止し、さらには収納部の機能を十分に発揮することが可能なウォールキャビネットを提供することである。
【課題を解決するための手段】
【０００５】
上記目的を達成するために請求項１記載の発明のよれば、内部に収納部と、空調機と、を備えるウォールキャビネットにおいて、
前記ウォールキャビネットが上部底板と、下部底板からなる二重底板部を備え、前記空調機が上部底板の下部に備えられるウォールキャビネットである。よって収納部と異なる箇所に空調機が配置される。
したがって、収納部になんら空調機の機器類がないため、使用者が誤って空調機に触れることがないので故障する恐れが少なくなる。また収納部には空調機の機器類がないため、通常通り使用することが可能となる
【０００６】
また、請求項２記載の発明のよれば、前記下部底板が前記空調機の上下分割面と略同一であることを特徴とする請求項１記載のウォールキャビネットを提供する。よって意匠性が向上するとともに、使用者が誤って上下分割面以下の部分を破損しても、交換が最小限で済む。
【０００７】
また、請求項３記載の発明のよれば、前記上部底板の下部に、空調機および／又は二重底板部を隠蔽する前板部を備えることを特徴とする請求項１または２記載のウオールキャビネットを提供する。よって、空調機に触れる可能性を少なくするので、故障率が低くなる。
【０００８】
また、請求項４記載の発明のよれば、前記下部底板および前記前板部が側板を設け、手前へ引き出し可能な第２収納部を形成することを特徴とする請求項３記載のウォールキャビネットを提供する。よって空調機が備えられている横のデッドスペースが第2収納部となる。よって収納部スペースが増えるので使い勝手が向上する。
【０００９】
また、請求項５記載の発明のよれば、前記空調機が取り付けられる取り付け部が、前記上部底板の下部に取り付けられ、前記取り付け部が前方へ引き出し可能な引き出し機構部を備えることを特徴とする請求項１乃至４いずれかに記載のウォールキャビネットを提供する。したがって空調機を手前へ移動することが可能となる。
よって、空調機をメンテナンスする際に手前へ移動でき、メンテナンス性が著しく向上する。
【００１０】
また、請求項６記載の発明のよれば、前記空調機が前部下方に吹き出し口を備え、前記下部底板の下方部に被乾燥体を掛けることが可能なバーを備えたことを特徴とする請求項１乃至５いずれかに記載のウォールキャビネットを提供する。よって被乾燥体をバーに掛けることにより乾燥させることが可能となる。
【００１１】
また、請求項７記載の発明のよれば、前記空調機が吹き出し口を備え、前記ウォールキャビネットの下部底板に、前記吹き出し口からの吹き出し流体の吸気スペースを確保するスペース確保部材を備えることを特徴とする請求項１乃至６いずれかに記載のウォールキャビネットを提供する。よって吸気のスペースが十分に確保される。
【発明の効果】
【００１２】
本発明によれば、収納部を十分確保するとともに、空調機を使用者になるべく触れさせない構造をとることにより故障率を低下させるという効果がある。
【発明を実施するための最良の形態】
【００１３】
以下に本発明を実施するための最良の形態を添付図面に基づいて説明する。
【００１４】
本発明の第１実施例を図１〜図６に示す。図１は第１実施例の外観斜視図、図２は第１実施例のウォールキャビネットで、扉を除き空調機を分離した状態の正面図、図３は第１実施例のウォールキャビネットで、空調機を分離した状態の右側面図、図４は第１実施例のウォールキャビネットで、扉を除き空調機を組み込んだ状態の正面図、図５は第１実施例のウォールキャビネットで、空調機を組み込んだ状態の右側面図、図６は図２の二重底板部拡大図である。ここで本明細書中では説明をわかりやすくするために透視した箇所を点線にて示す。
【００１５】
図1、２、３について、内容について以下に説明する。
洗面化粧台１の上方に化粧鏡２が載置され、この化粧鏡２の上方に、左右一対の側板３と天板４、開閉式の扉５、収納部７、裏板８、スペース確保部材９、前板部１０、空調機１１、図6に示す二重底板部６、で構成されるウォールキャビネット１２が載置されている。二重底板部６は、上部底板６aと下部底板６b、とから構成され内部にスペース空間６cを備えている。前板部１０は上部底板６aの下部と下部底板６bの前方に固定されている。下部底板６bまたは側板３の下面にスペース確保部材９が固定されており、上部底板６aの下面に空調機１１が固定されている。また、空調機１１は空調機上部１１aと空調機下部１１bとから成り、空調機下部１１bの前面に吹き出し口１１cが設けられている。空調機上部１１aには、空調機１１の機能部が収められている。上下分割面１８である空調機上部１１a下端は下部底板６b下面と同一にしている。
【００１６】
次に図４、５について以下に説明する。
ウォールキャビネット１２を二重底板にすることによって、空調機１１の電源コード１９がウォールキャビネット１２内部の収納部７を通らなくて済み、ウォールキャビネット１２の背面２１を通すことができる為、品物を収納する際、電源コード１９が邪魔にならず使い勝手が向上する。図４にて電源コード１９は、空調機の真後ろから背面２１を通過しそのまま図示しない壁内に配設される構成となっている。
【００１７】
空調機上部１１aが下部底板６bによって隠蔽される為、空調機１１とウォールキャビネット１２に一体感を持たせることができ、見栄えも良くなる。また、下部底板６bによって外部からの機能部への衝撃を防止できる。一方、空調機下部１１bは下部底板６b下方に露出しているため、空調機下部１１bのみが損傷した場合、空調機下部１１bのみの交換ができる。また、フィルターが空調機下部１１bに設けられている場合、フィルターの交換及びフィルターを取り外しての清掃が容易である。
【００１８】
二重底板部６を隠蔽する前板部１０を備えることによって、空調機上部１１aを外部からによる衝撃から防止し、空調機１１の機能部の故障・破損を防ぎ、また前板部１０によって空調機１１の機能部が保護されているので誤って触れることができない為、いたずら防止、怪我の防止にもなる。
【００１９】
また、スペース確保部材９により下部底板６bの下方部に空調機１１の吸気スペースを設けることができる。これにより、空調機１１を使用時に吹き出し口１１cから充分な風量を供給でき、またウォールキャビネット１２設置時に、ウォールキャビネット１２とスペース確保部材９が一体になっている為、周辺部材の化粧鏡２や照明ユニットを設置後、その上部にウォールキャビネット１２を乗せて固定すれば良いので、設置位置の罫書きの寸法取りが不要になり、施工が容易にできる。またスペース確保部材９によってウォールキャビネット１２と化粧鏡２との間にできる正面の壁を隠蔽し、見栄えも良く、確保されたスペースによって、空調機１１および空調機１１を取り巻く周辺部材の温度上昇を緩和する。
【００２０】
本発明の第２実施例を図７に示す。図７は第２実施例の扉および空調機を図示省略した外観斜視図である。ここで第一実施例と同様な構成については、説明を省略する。
【００２１】
図７について以下に説明する。
前板部１０の形状は、スペース空間６c前方と空調機１１前方で分割されており、下部底板６bに側板１３を備えている。これにより、スペース空間６cを引き出しにすることができ、第２収納部１６として活用することができる。よって収納量が増え使い勝手が向上する。
【００２２】
本発明の第３実施例を図８、図９に示す。図８は外観斜視図である。また図９は、第３実施例の右側面図である。ここで第２実施例と同様な構成については説明を省略する。また空調機、扉については図示省略する。またここで、図9にて二点鎖線は空調機を前に引き出した状態を示す。
【００２３】
図８、９について、以下に説明する。
上部底板６aの下部に空調機１１が取り付けられる取り付け部１４を設け、取り付け部１４が前方へ引き出し可能な引き出し機構部１７を備え、取り付け部１４と二重底板部６を隠蔽している前板部１０を一体としている。なおここで引き出し機構部17は図示しない部分に溝部を備え、取り付け部側部が前記溝部内を移動することで引き出しできる構造となっている。
【００２４】
図９より取り付け部１４を前方へ引き出し可能な引き出し機構部１７を備えることによって、空調機１１のメンテナンス時の施工性を容易にし、また髪を乾かす際、空調機１１使用時に使用者の頭上の近い位置に空調機１１を移動させることが可能となる為、髪を乾かす時間を短時間に縮小できる。また、前板部１０の形状を一枚の通し板にし、取り付け部１４と一体にした場合、前記効果に加え、前板部１０によって隠蔽している二重底板部６のデッドスペースとなっている空間もなくなる為、物置スペース２０として活用できる。よって、使用者の必要用途に応じて、第２実施例や本第３実施例のように、必要箇所を前方へ引き出すことが可能となる為、不必要な部分は隠蔽しておくことが可能となる。
【００２５】
本発明の第４実施例を図１０、図１１に示す。図１０は第４実施例の正面図である。図１１は第４実施例の右側面図である。ここで第１実施例と同様な構成については説明を省略する。
【００２６】
図１０、１１について以下に説明する。
ウォールキャビネット１２の図示しない下部底板下面にバー１５が取り付けられている。バー１５は、空調機１１の吹き出し口１１cの前方に位置し、吹き出し口１１cからの温風があたるようになっている。
【００２７】
バー１５に濡れたバスタオル、フェイスタオル、布巾などの被乾燥帯を掛けることが可能で、バー１５に被乾燥帯を掛けたままの状態で空調機１１を作動させ、空調機１１の吹き出し口１１cから温風を送り、被乾燥帯を乾かすことが可能である。
【００２８】
次に本発明の第５実施例を図１２、図１３に示す。図１２は第５実施例の正面図である。図１３は第５実施例の右側面図である。ここで第４実施例と同様な構成については説明を省略する。また同様な構成には同符号を付与し、説明を省略する。
【００２９】
図１２、１３について以下に説明する。
本実施例ではスペース確保部材９にバー１５が取り付けられている。バー１５は、空調機１１の吹き出し口１１cの前方に位置し、吹き出し口１１cからの温風があたるようになっている。
【００３０】
バー１５に濡れたバスタオル、フェイスタオル、布巾などの被乾燥帯を掛けることが可能で、バー１５に被乾燥帯を掛けたままの状態で空調機１１を作動させ、空調機１１の吹き出し口１１cから温風を送り、被乾燥帯を乾かすことが可能である。またフィルターが空調機下部１１bに設けられている場合、バーの位置を前記第４実施例とすることによって、フィルターの取り外しが容易になる。
【図面の簡単な説明】
【００３１】
【図１】本発明のウォールキャビネットを洗面化粧台の上部に載置される化粧鏡の              上部に載置した状態の外観斜視図である。
【図２】本発明のウォールキャビネットで、扉を除き空調機を分離した状態の正面              図である。
【図３】本発明のウォールキャビネットで、空調機を分離した状態の右側面図であ              る。
【図４】本発明のウォールキャビネットで、扉を除き空調機を組み込んだ状態の正              面図である。
【図５】本発明のウォールキャビネットで、空調機を組み込んだ状態の側面図であ              る。
【図６】本発明のウォールキャビネットで、図２の二重底板部の拡大図である。
【図７】本発明のウォールキャビネットで、扉および空調機を除いた外観斜視図で              ある。
【図８】本発明のウォールキャビネットで、扉および空調機を除いた外観斜視図で              ある。
【図９】本発明のウォールキャビネットで、扉を除いた右側面図である。
【図１０】本発明のウォールキャビネットで、下部底板の下方にバーを設けて、空                調機を組み込んだ状態の正面図である。
【図１１】本発明のウォールキャビネットで、下部底板の下方にバーを設けて、空                調機を組み込んだ状態の右側面図である。
【図１２】本発明のウォールキャビネットで、スペース確保部材にバーを設けて、                空調機を組み込んだ状態の正面図である。
【図１３】本発明のウォールキャビネットで、スペース確保部材にバーを設けて、                空調機を組み込んだ状態の右側面図である。
【符号の説明】
【００３２】
１…洗面化粧台
２…化粧鏡
３…側板
４…天板
５…扉
６…二重底板部
６a…上部底板
６b…下部底板
６c…スペース空間
７…収納部
８…裏板
９…スペース確保部材
１０…前板部
１１…空調機
１１a…空調機上部
１１b…空調機下部
１１c…吹き出し口
１２…ウォールキャビネット
１３…側板
１４…取り付け部
１５…バー
１６…第２収納部
１７…引き出し機構部
１８…上下分割面
１９…電源コード
２０…物置スペース
２１…背面
【図１】
2005110949.tif 000003
【図２】
2005110949.tif 000004
【図３】
2005110949.tif 000005
【図４】
2005110949.tif 000006
【図５】
2005110949.tif 000007
【図６】
2005110949.tif 000008
【図７】
2005110949.tif 000009
【図８】
2005110949.tif 000010
【図９】
2005110949.tif 000011
【図１０】
2005110949.tif 000012
【図１１】
2005110949.tif 000013
【図１２】
2005110949.tif 000014
【図１３】
2005110949.tif 000015